(57)【特許請求の範囲】
【請求項１】
屋内空間に設けられる屋内用収納システムであって、
上記屋内空間に人が移動できる平行に延びる複数の通路を有するように並べられた複数の棚部と、
少なくとも一側面側の上記複数の棚部の収納口を開閉可能にそれぞれ覆う複数の平坦な扉とを備え、
上記複数の平坦な扉が上記屋内空間の中央部分に設けられ、該屋内空間の上記平行に延びる複数の通路と、該平行に延びる複数の通路の反対側の屋内空間とを仕切る間仕切壁を兼ねている
ことを特徴とする屋内用収納システム。
【請求項２】
請求項１に記載の屋内用収納システムにおいて、
上記複数の平坦な扉のうち少なくとも１つは、上記通路に通じる扉を兼ねている
ことを特徴とする屋内用収納システム。
【請求項３】
請求項１又は２に記載の屋内用収納システムにおいて、
上記複数の棚部は互いに結合されることで、耐震性を有する剛性構造が形成されている
ことを特徴とする屋内用収納システム。
【請求項４】
請求項１から３のいずれか１つに記載の屋内用収納システムにおいて、
上記複数の平坦な扉又は上記複数の棚部の少なくとも一部が、リビングと、ダイニングと、洗面脱衣スペースとの間の間仕切壁を構成する
ことを特徴とする屋内用収納システム。
【請求項５】
請求項１から４のいずれか１つに記載の屋内用収納システムにおいて、
上記複数の平坦な扉は、ホワイトボード機能を有する表面材が設けられ、上記複数の平坦な扉の全てを閉じた状態で、該複数の平坦な扉の表面が同一平面上にあるコミュニケーションウォールが形成されるように構成されている
ことを特徴とする屋内用収納システム。
【請求項６】
請求項１から５のいずれか１つに記載の屋内用収納システムにおいて、
上記複数の棚部の少なくとも一部の幕板の背面には、吊金具をスライド移動可能に支持するレール部材が設けられている
ことを特徴とする屋内用収納システム。
【発明の詳細な説明】
【技術分野】
【０００１】
本発明は、屋内空間に設けられる屋内用収納システムに関し、特に間仕切壁を兼ねるものに関する。
【背景技術】
【０００２】
従来より、間仕切壁に囲まれた１つの部屋の空間内にキッチンとパントリーとを設け、これらのキッチンとパントリーとを、その境界部分に沿って設けられた家具により区画することが行われている（例えば、特許文献１参照）。この家具は、建物に作り付けの収納家具であると共に、建物の床から天井まで達する高さ寸法を有している。そして、収納家具が複数の収納棚を有し、この収納棚及び収納家具の背板がキッチンとパントリーとの仕切となっている。
【０００３】
また、特許文献２のように、浴室に通じる洗面室と、その洗面室に隣接する洗濯室との間を仕切る間仕切壁に収納部を設けた洗濯物収納装置が知られている。この収納部は、洗面室側から収納物を投入可能であって且つ洗濯室側から取り出し可能となっている。
【先行技術文献】
【特許文献】
【０００４】
【特許文献１】特開２００１−６１５７２号公報
【特許文献２】特開２００３−３８２７３号公報
【発明の概要】
【発明が解決しようとする課題】
【０００５】
しかしながら、従来の屋内用収納システムでは、キッチンとパントリー又は洗面室と洗濯室における間仕切であって、その収納及び間仕切の効果は限られており、広い空間に配置されてリビング、ダイニング、洗面脱衣スペースなど多くの生活空間の間の家事動線の効率化や暮らしの提案を行うものではない。
【０００６】
本発明は、かかる点に鑑みてなされたものであり、その目的とするところは、間仕切壁を設けることなく、収納能力の確保と家事の省力化を図ることにある。
【課題を解決するための手段】
【０００７】
上記の目的を達成するために、第１の発明では、屋内空間に設けられる屋内用収納システムを対象とし、
上記屋内用収納システムは、
上記屋内空間に人が移動できる通路を少なくとも１つ有するように並べられた複数の棚部と、
少なくとも一側面側の上記複数の棚部の収納口を開閉可能にそれぞれ覆う複数の平坦な扉とを備え、
上記複数の平坦な扉が上記屋内空間を仕切る間仕切壁を兼ねている。
【０００８】
上記の構成によると、建物に予め間仕切壁を設けなくても、棚部の収納口を開閉可能に覆う平坦な扉が間仕切壁を兼ねるので、屋内空間での設計施工が容易となる。本来間仕切壁となる部分を収納に利用できるので、屋内空間をより効率よく使用できると共に、屋内用収納システム内の通路の両側を収納に利用できる。屋内空間の中央部分に設ければ、リビング、ダイニング、キッチン、洗面脱衣スペースなど多くの生活空間の間仕切として利用でき、ライフスタイルや床面積に応じた柔軟なプランニングが可能となる。さらに間仕切壁を平坦な扉で構成することにより、扉を開けると収納口から物の出し入れが可能となり、また、見映えもよく、さらには平坦な面を利用してホワイトボード機能を持たせることができる。また、収納棚をまとめて配置できるので、収納に要するスペースを最小限としながらも大きな収納力を確保できる。
【０００９】
第２の発明では、第１の発明において、
上記複数の平坦な扉のうち少なくとも１つは、上記通路に通じる扉を兼ねている。
【００１０】
上記の構成によると、建物に設けた間仕切壁では、扉を設けるとなると大がかりなものとなるが、本発明の屋内用収納システムでは、平坦な扉を開閉すれば人が通れるように設計しやすい。人が通過できることにより、収納棚にアクセスしやすいだけでなく、他のスペースへの移動が容易となり、家事の効率化の達成が可能となる。
【００１１】
第３の発明では、第１又は第２の発明において、
上記複数の棚部互いに結合されることで、耐震性を有する剛性構造が形成されている。
【００１２】
上記の構成によると、複数の棚部が互いに結合されて剛性構造を形成するので、屋内用収納システムを耐力壁やシェルターとして利用できる。
【００１３】
第４の発明では、第１から第３のいずれか１つの発明において、
上記複数の平坦な扉又は上記複数の棚部の少なくとも一部が、リビングと、ダイニングと、洗面脱衣スペースとの間の間仕切壁を構成する。
【００１４】
上記の構成によると、リビングとダイニングと洗面脱衣スペース（水回り）との間での間仕切壁を容易に設けながら、それぞれに合わせた収納棚を狭いスペースでも配置することができる。屋内用収納システム内で通路を適切に配置することで、家事動線の効率化も可能となる。
【００１５】
第５の発明では、第１から第４のいずれか１つの発明において、
上記複数の平坦な扉は、ホワイトボード機能を有する表面材が設けられ、該複数の平坦な扉の表面が同一平面上にある。
【００１６】
上記の構成によると、平坦な扉の表面を利用してプロジェクターを映したり、連絡ボードとして利用したり、お絵かきに利用したりして家族の団らんを楽しむことができ、家族のコミュニケーションの活性化を図ることができる。なお、「同一平面上にある」は、完全に同一平面上にある必要はなく、例えば、プロジェクターを映したときに特に違和感のない程度に段差等があってもよいことを意味する。
【００１７】
第６の発明では、第１から第５のいずれか１つの発明において、
上記複数の棚部の少なくとも一部の幕板の背面には、吊金具をスライド移動可能に支持するレール部材が設けられている。
【００１８】
上記の構成によると、棚部の側板を繋ぐ幕板の背面に吊金具をスライド移動可能に支持したので、幕板の前面側に扉を取り付けても吊金具やそれを支持するレール部材が扉に干渉しない。また、レール式なので、服、ベルト、靴、アクセサリーなどを吊金具に掛けたまま滑らかに動かすことができ、着替えがしやすい。また吊金具を利用してカーテンを取り付けることもできる。さらにレール部材が隠れているので、見映えがよい。幕板自体は、棚部のどの高さに設けてもよい。
【発明の効果】
【００１９】
以上説明したように、本発明によれば、屋内用収納システムの複数の棚部のうち、一側面側の棚部の収納口を覆う複数の平坦な扉を屋内空間を仕切る間仕切壁を兼ね間仕切壁としたことにより、収納能力の確保と家事の省力化を図ることができる。
【図面の簡単な説明】
【００２０】
【図１】本発明の実施形態に係る屋内用収納システムが設けられた屋内の一部を示す斜視図である。
【図２】本発明の実施形態に係る屋内用収納システムが設けられた屋内の一部を示す平面図である。
【図３】図２のIII方向から見た矢視図である。
【図４】図２のIV−IV線断面図及びその一部拡大図である。
【図５】図２のＶ方向から見た矢視図である。
【図６】図２のVI−VI線断面図及びその一部拡大図である。
【図７】図２のVII方向から見た矢視図である。
【図８】図２のVIII−VIII線断面図である。
【発明を実施するための形態】
【００２１】
以下、本発明の実施形態を図面に基づいて説明する。
【００２２】
図１〜図８は本発明の実施形態の屋内用収納システム１０が設けられた、例えば一戸建ての１階部分の中央部分を示す。この屋内用収納システム１０の周囲には、バスルーム、トイレ、エントランスホール、リビングＬ、キッチンＫ、ダイニングＤ、階段、廊下等が設けられている。屋内用収納システム１０を設けるのは、マンションの一室でもよいし、周りのスペースの使用目的は、特に限定されない。
【００２３】
この屋内用収納システム１０は、建物の壁部１、床部２、天井（図示せず）に囲まれた屋内空間３に設けられている。建物の壁部１には、例えば、エントランスホールとリビングＬとを結ぶ第一出入口４や、バスルームと洗面脱衣スペースとを結ぶ第二出入口５、ダイニングと外部とを結ぶ第三出入口６等が設けられている。第一出入口４、第二出入口５及び第三出入口６は、図示していないが、開き戸等で開閉可能となっている。屋内用収納システム１０の角部と建物の壁部１とで第四出入口７（開き戸はあってもなくてもよい）も形成されている。例えば、床部２を特徴あるデザインフロアとすることで、小さい子供は見た目の楽しい床部２にミニカーや人形などを並べて遊ぶことができる。洗面脱衣スペース２１側の建物の壁部１には、例えば、大きな鏡が設けられた姿見ユニット８やタオル掛けユニット９が設けられている。
【００２４】
屋内用収納システム１０は、屋内空間３に人が移動できる第一通路１１及び第二通路１２を有するように並べられた複数の棚部Ａ１，Ａ２，Ｂ〜Ｈを備えている。本実施形態では、第一通路１１及び第二通路１２は、互いに平行に設けられているが、これに限定されない。例えば、第一通路１１はなく、第二通路１２のみがあるような構成でもよい。棚部Ａ１，Ａ２，Ｂ〜Ｈの高さは、天井まで届いていてもよいし、天井から隙間を空けていてもよい。天井から隙間を空ける場合には、高さを揃えると見映えがよい。
【００２５】
具体的には、棚部Ａ１，Ａ２と棚部Ｂとが第一通路１１を隔てて配置され、棚部Ｃと棚部Ｄ１，Ｄ２とが第二通路１２を隔てて配置されている。棚部Ａ１，Ａ２と棚部Ｂは、洗面脱衣スペース２１に近く、例えば母親のクローゼットとして利用される。棚部Ｂと棚部Ｃとが背面を合わせるように設けられ、棚部Ｄ１，Ｄ２と棚部Ｅ１，Ｅ２とが背面を合わせるように設けられている。棚部Ｃは、例えば父親のクローゼットとして利用され、棚部Ｄ１，Ｄ２は、リビングクローゼット（家族で使う日用品の収納部）として利用される。棚部Ａ１，Ａ２、棚部Ｄ１，Ｄ２及び棚部Ｄ１，Ｄ２は、分かれていなくてもよいし、他の棚部Ｂ，Ｃが分割されていてもよい。例えば、棚部Ａ１，Ａ２は、建物の壁部１に接するように設けられている。棚部Ａ１に垂直に連続するように、例えばリビングクローゼット（家族で使う日用品の収納部）の役割をする棚部Ｆ，Ｇ，Ｈが直線状に並んで設けられている。棚部Ｈは、棚部Ｂ，Ｃの側面と接している。剛性確保の観点で複数の棚部Ａ１，Ａ２，Ｂ〜Ｈ同士は、隣り合う側板、天板等がボルトなどで互いに結合されているのが望ましい。
【００２６】
棚部Ｆ，Ｇ，Ｈの収納口は、リビングＬ側に設けられており、例えば、フラット引き戸ユニット１３で開閉可能にそれぞれ覆われている。このフラット引き戸ユニット１３は、閉じたときに複数の平坦な扉がほぼフラットに並び、開いたときには、互いに重なるようにスライド可能に設けられたものよりなる。例えば、棚部Ｆの背板の一部を無くして通風部２２（図２にのみ示す）を設け、フラット引き戸ユニット１３を通風タイプとすれば、収納空間及び洗面脱衣スペース２１とに湿気を溜めることはない。またフラット引き戸ユニット１３が屋内用収納システム１０に含まれているので、フラット引き戸ユニット１３の取付設計が容易である。フラット引き戸ユニット１３は、開き戸や引き戸で構成してもよいが複数の平坦な扉の表面が同一平面上にあるのが望ましいが、多少の段差や隙間があってもよい。棚部Ｆ，Ｇ，Ｈは、リビング側から収納物の出し入れが可能であるし、棚部Ｇについては第一通路１１からも収納物の出し入れができる両面収納が可能となっている。
【００２７】
第二通路１２は、リビング側引き戸１４で開閉可能に覆われている。リビング側引き戸１４は、スライド移動可能なリビング側吊り戸１５を奥側へスライドさせてスライドさせることで、リビングＬと収納スペース（第二通路１２）とを行き来できるようになる。リビング側引き戸１４とリビング側吊り戸１５とは、角部に設けた柱部材１７とこの柱部材１７に連結されたまぐさ部１８と棚部Ｈとで区切られた部分に設けられている。リビング側引き戸１４とリビング側吊り戸１５との組み合わせは、これに限定されないが、第二通路１２側からリビング側引き戸１４を開閉可能である必要がある。まぐさ部１８は、棚部Ｄ１，Ｅ１，Ｈとボルト等で結合されているのが望ましい。
【００２８】
フラット引き戸ユニット１３と、リビング側引き戸１４と、リビング側吊り戸１５は、屋内空間３を仕切る間仕切壁を兼ねているだけでなく、コミュニケーションウォール１６機能を有する。すなわち、これら複数の平坦な扉の表面には、ホワイトボード機能を有する表面材が設けられ、その表面がほぼ同一平面上にある。これにより、例えば、真っ白な大きな平面よりなるコミュニケーションウォール１６が形成される。
【００２９】
図４及び図６に示すように、例えば、棚部Ｂ，Ｃの棚本体３０の測板を繋ぐ棚板３１の前面を覆う幕板３２の背面には、吊金具３４をスライド移動可能に支持するレール部材３３が設けられている。幕板３２のさらに奥には、ＬＥＤ照明３５が設けられている。ＬＥＤ照明３５のさらに奥側には、ハンガーパイプ３６が設けられている。これにより、ハンガーパイプ３６に掛けられた服を一時的に吊金具３４に掛けることができ、その状態で水平にスライド移動可能となっている。幕板３２自体は、棚部Ｂ，Ｃのどの高さに設けてもよいし、どの棚部に設けてもよい。
【００３０】
柱部材１７のダイニングＤ側に棚部Ｄ１，Ｄ２，Ｅ１，Ｅ２が設けられている。ダイニングＤ側の棚部Ｅ１，Ｅ２は、ダイニング側折り戸１９で開閉可能に覆われており、主としてダイニングＤで利用される収納物が収納可能である。このダイニング側折り戸１９の表面もホワイトボード機能を有する表面材で覆うことにより、この領域もコミュニケーションウォールとすることができる。棚部Ｅ１，Ｅ２の背面側には、棚部Ｄ１，Ｄ２が設けられており、その収納口は、第二通路１２に面している。第二通路は、棚部Ｃと棚部Ｄ１，Ｄ２とに面しているので、リビング側引き戸１４を開けば、これらの棚部Ｃ，Ｄ１，Ｄ２に容易にアクセスできし、ダイニングＤ、洗面脱衣スペース２１へ移動可能となる。例えば、棚部Ｄ１，Ｄ２は、リビングＬで利用する収納物を収納し、棚部Ｃはファミリークローゼットとすればよい。
【００３１】
棚部Ｂ，Ｃの洗面脱衣スペース２１側には、スライド可能なアウトセット吊り戸２０が設けられており、第一通路１１を開閉可能となっている。このように屋内用収納システム１０の一部を構成する側板にアウトセット吊り戸２０を設けるようにすれば、建物自体に取付部を設ける必要がなくなり、施工が容易となる。
【００３２】
また、洗面脱衣スペース２１の天井には、例えば、照明ユニットや部屋干し棹を有する天井ユニット２３が設けられている。このように屋内用収納システム１０の天井部分を構成する部分を収納や他の用途に利用することもできる。
【００３３】
さらに、棚部Ａ１，Ａ２〜Ｈに収容する収納物の分類のために、背板や棚板木口の色分けをしてもよい。そうすれば、収納場所が一目でわかり、また覚えやすい。
【００３４】
以上説明したように、本実施形態によると、建物に予め間仕切壁を設けなくても、棚部の収納口を開閉可能に覆う平坦な扉が間仕切壁を兼ねるので、屋内空間３での設計施工が容易となる。
【００３５】
また、本来間仕切壁となる部分を収納に利用できるので、屋内空間３をより効率よく使用できると共に、屋内用収納システム１０内の第一通路１１及び第二通路１２の両側を収納に利用できる。
【００３６】
また、屋内空間３の中央部分に設ければ、リビングＬ、ダイニングＤ、キッチン、洗面脱衣スペース２１など多くの空間の間仕切として利用でき、ライフスタイルや床面積に応じた柔軟なプランニングが可能となる。さらに間仕切壁を平坦な扉で構成することにより、扉を開けると収納口から物の出し入れが可能となり、また、見映えもよく、さらには平坦な面を利用してホワイトボード機能を持たせることができる。
【００３７】
また、収納棚をまとめて配置できるので、収納に要するスペースを最小限としながらも大きな収納力を確保できる。
【００３８】
建物に設けた間仕切壁では、扉を設けるとなると大がかりなものとなるが、本発明の屋内用収納システム１０では、平坦な扉の１つであるリビング側引き戸１４を開閉すれば通過できるので、家事動線の設計がしやすい。また、人が通過できることにより、収納棚にアクセスしやすいだけでなく、他のスペースへの移動が容易となり、家事の効率化の達成が可能となる。
【００３９】
また、本実施形態の複数の棚部Ａ１，Ａ２〜Ｈとをボルト等で確実に結合することで、耐震性を有する剛性構造を形成してもよい。そうすれば、屋内用収納システム１０を耐力壁やシェルターとして利用できる。
【００４０】
本実施形態では、屋内用収納システム１０がリビングＬと、ダイニングＤと、洗面脱衣スペース２１との間の間仕切壁を構成するようにしたので、リビングＬとダイニングＤと洗面脱衣スペース２１との間での間仕切壁を容易にも設けながら、それぞれに合わせた収納棚を狭いスペースでも配置することができる。
【００４１】
また、屋内用収納システム１０内で第一通路１１及び第二通路１２を適切に配置したので、家事動線の効率化が可能となる。
【００４２】
本実施形態では、コミュニケーションウォール１６の平坦な扉の表面を利用してプロジェクターを映したり、連絡ボードとして利用したり、お絵かきに利用したりして家族の団らんを楽しめる。
【００４３】
さらに本実施形態では、棚部Ｂ，Ｃの側板を繋ぐ幕板３２の背面に吊金具３４をスライド移動可能に支持したので、幕板３２の前面側に扉を取り付けても吊金具３４やそれを支持するレール部材３３が扉に干渉しない。また、レール式なので、服、ベルト、靴、アクセサリーなどを吊金具３４に掛けたまま滑らかに動かすことができ、着替えがしやすい。また吊金具３４を利用してカーテンを取り付けることもできる。さらにレール部材３３が隠れているので、見映えがよい。
【００４４】
以上説明したように、本発明によれば、屋内用収納システム１０の複数の棚部のうち、一側面側の棚部の収納口を覆う複数の平坦な扉を屋内空間３を仕切る間仕切壁を兼ね間仕切壁としたことにより、収納能力の確保と家事の省力化を図ることができる。
【００４５】
なお、以上の実施形態は、本質的に好ましい例示であって、本発明、その適用物や用途の範囲を制限することを意図するものではない。
【００４６】
例えば、棚部Ａ１，Ａ２〜Ｈの並べ方やそれぞれの収容物は、上記実施形態に限定されず、自由に設計可能である。
【００４７】
また、上記実施形態では、平坦な扉をフラット引き戸ユニット１３で構成したが、複数の平坦な扉が上下のピンを中心に折り畳み及びスライド可能に設けられた折り戸ユニットで構成してもよい。但し、フラット引き戸ユニット１３の方が、折り戸ユニットよりもさらに隙間なく構成できる点で有利である。
【符号の説明】
【００４８】
１      建物の壁部
２      床部
３      屋内空間
４      第一出入口
５      第二出入口
６      第三出入口
７      第四出入口
８      姿見ユニット
９      タオル掛けユニット
１０      屋内用収納システム
１１      第一通路
１２      第二通路
１３      フラット引き戸ユニット（平坦な扉）
１４      リビング側引き戸（平坦な扉、通路に通じる扉）
１５      リビング側吊り戸（平坦な扉）
１６      コミュニケーションウォール
１７      柱部材
１８      まぐさ部
１９      ダイニング側折り戸
２０      アウトセット吊り戸
２１      洗面脱衣スペース 
２２      通風部 
２３      天井ユニット
３０      棚本体
３１      棚板
３２      幕板
３３      レール部材
３４      吊金具
３５      ＬＥＤ照明
３６      ハンガーパイプ
【図１】
0006722436.tif 000002
【図２】
0006722436.tif 000003
【図３】
0006722436.tif 000004
【図４】
0006722436.tif 000005
【図５】
0006722436.tif 000006
【図６】
0006722436.tif 000007
【図７】
0006722436.tif 000008
【図８】
0006722436.tif 000009